(57)【要約】【課題】柱のチューブを膨張させて立ち上げを行う際のすわりがよくされ、立ち上げに際しての支えが不要とされて、立ち上げの作業性を向上された間仕切りの提供。【解決手段】柱１２の上部構造部分１２Ｃは、土台部分１２Ａ側に向かって短縮された状態で空気供給口１２Ｂに圧縮空気９２の供給を受けると、柱１２のチューブ内における空気の圧力の増加に応じて徐々に伸張されて伸びだされる。短縮された状態の上部構造部分１２Ｃを伸張させるために必要な柱１２のチューブ内における空気の圧力は、柱１２のチューブが梁１１のチューブおよびシート１０Ａを倒れないように支持するために必要となる柱１２のチューブ内における空気の圧力よりも大きい。【選択図】図４
2016014289.tif 000002
【特許請求の範囲】
【請求項１】
それぞれが圧縮空気の供給によって膨張される別個のチューブからなる梁および柱と、この梁および柱の間に架け渡されるシートと、を備え、膨張される柱のチューブに、前もって取り付けられた梁およびシートを持ち上げさせることで床から上方に立ち上げられて、持ち上げられたシートにより空間を仕切る間仕切りにおいて、
柱のチューブは、このチューブにおける床側の端を含む部分であり、かつ、この床に対して固定される部分である土台部分と、この土台部分から上方に向かって伸びだされる部分である上部構造部分と、を有し、
土台部分には、柱のチューブに圧縮空気を供給するための空気供給口が形成され、
上部構造部分は、外部からの操作によって伸びだされた状態から土台部分側に向かって短縮された状態にすることができ、かつ、この短縮された状態において土台部分の空気供給口に圧縮空気が供給された場合には、柱のチューブ内における空気の圧力の増加に応じて徐々に伸張されることで伸びだされた状態に戻るように構成され、
短縮された状態の上部構造部分を伸張させるために必要となる柱のチューブ内における空気の圧力は、柱のチューブが梁のチューブおよびシートを倒れないように支持するために必要となる柱のチューブ内における空気の圧力よりも大きくされている、
間仕切り。
【請求項２】
請求項１に記載された間仕切りであって、
柱のチューブは、その土台部分が鉛直上方向に開口されたパイプの中に入れられることで膨張可能な方向が制限され、かつ、その上部構造部分が鉛直上方向に伸びだされる構成とされ、
上部構造部分は、梁のチューブおよびシートとは別体に形成され、かつ、上部構造部分が伸びだされた状態において上側となる端が床側に向かって凹むように裏返されることで土台部分側に向かって短縮される構成とされ、
梁のチューブには、柱のチューブの上部構造部分に被せられて取り付けられることにより、柱のチューブに梁のチューブおよびこの梁のチューブに取り付けられたシートを支持させる被せ部材が取り付けられている、
間仕切り。
【請求項３】
請求項１に記載された間仕切りであって、
柱のチューブの上部構造部分は、複数層に重ね合わされた状態にまとめられて、土台部分から上部構造部分が延びる方向に沿って配置される留め具により留められることで土台部分側に向かって短縮される構成とされ、
留め具は、土台部分の空気供給口に圧縮空気が供給された場合に、土台部分側から膨張されていく柱のチューブの変形に応じて土台部分に近い側から順次外れていくことで、上部構造部分の膨張を土台部分に近い側から順次許容する、
間仕切り。
【発明の詳細な説明】
【技術分野】
【０００１】
本発明は、例えば、建屋内におけるリフォーム作業の現場から、建屋内における他の区画にほこりが入り込まないようにするために、所要規模の遮蔽空間を、所望の位置に、軽便に設営するための間仕切りに関する。
【背景技術】
【０００２】
従来、ほこりの出入りを防ぐ遮蔽空間を建屋内に設ける際において、圧縮空気の供給によって膨張されるチューブによって骨組みが構成され、この骨組みにシートが取り付けられた建物あるいは間仕切りを床の上に設置するという技術が知られていた。この種の技術は、例えば特許文献１に開示されている。この特許文献１には、それぞれが圧縮空気の供給によって膨張される別個のチューブからなる梁および柱を接合し、梁のチューブを膨張させてシートの取り付けを行い、その後で柱のチューブを膨張させて立ち上げを行う技術が記載されている。この技術によれば、床の上への建物の設置を床付近の作業のみで実現させて、建物を短時間で容易に設置することが可能となる。
【先行技術文献】
【特許文献】
【０００３】
【特許文献１】特許３３３３９４６号公報
【発明の概要】
【発明が解決しようとする課題】
【０００４】
特許文献１に開示されている技術では、柱のチューブを膨張させて立ち上げを行っている間において、梁のチューブのすわりが悪くなる。このため、特許文献１に開示されている技術を間仕切りに適用しようとした場合には、間仕切りの立ち上げに際してこの間仕切りが倒れないようにする支えを行う必要がある。
【０００５】
本発明は、柱のチューブを膨張させて立ち上げを行う間仕切りにおいて、この間仕切りが立ち上がる際のすわりをよくすることで、この立ち上げに際して支えを用意する必要をなくして、間仕切りを立ち上げる作業の作業性を向上させるものである。
【課題を解決するための手段】
【０００６】
上記課題を解決するために、本発明の間仕切りは以下の手段をとる。
【０００７】
まず、第１の発明は、それぞれが圧縮空気の供給によって膨張される別個のチューブからなる梁および柱と、この梁および柱の間に架け渡されるシートと、を備えた間仕切りである。この間仕切りは、膨張される柱のチューブに、前もって取り付けられた梁およびシートを持ち上げさせることで床から上方に立ち上げられて、持ち上げられたシートにより空間を仕切るものである。柱のチューブは、このチューブにおける床側の端を含む部分であり、かつ、この床に対して固定される部分である土台部分と、この土台部分から上方に向かって伸びだされる部分である上部構造部分と、を有している。土台部分には、柱のチューブに圧縮空気を供給するための空気供給口が形成されている。上部構造部分は、外部からの操作によって伸びだされた状態から土台部分側に向かって短縮された状態にすることができるように構成されている。また、上部構造部分は、短縮された状態において土台部分の空気供給口に圧縮空気が供給された場合には、柱のチューブ内における空気の圧力の増加に応じて徐々に伸張されることで伸びだされた状態に戻るように構成されている。短縮された状態の上部構造部分を伸張させるために必要となる柱のチューブ内における空気の圧力は、柱のチューブが梁のチューブおよびシートを倒れないように支持するために必要となる柱のチューブ内における空気の圧力よりも大きくされている。
【０００８】
この第１の発明によれば、土台部分が床に固定されて上部構造部分が短縮された柱のチューブは、圧縮空気が供給されると、まず梁のチューブおよびシートを倒れないように支持できるように膨張され、その後で上部構造部分を徐々に伸張させるように膨張される。このため、柱のチューブを膨張させて間仕切りを立ち上げている間において、持ち上げられる梁のチューブおよびシートは、柱のチューブにより倒れないように支持される。これにより、立ち上げに際してのすわりが向上されて支えが不要となり、この立ち上げの作業の作業性が向上された間仕切りを提供することができる。
【０００９】
ついで、第２の発明は、上述した第１の発明において、柱のチューブは、その土台部分が鉛直上方向に開口されたパイプの中に入れられることで膨張可能な方向が制限され、かつ、その上部構造部分が鉛直上方向に伸びだされる構成とされたものである。ここで、上部構造部分は、梁のチューブおよびシートとは別体に形成され、かつ、上部構造部分が伸びだされた状態において上側となる端が床側に向かって凹むように裏返されることで土台部分側に向かって短縮される構成とされている。また、梁のチューブには、柱のチューブの上部構造部分に被せられて取り付けられることにより、柱のチューブに梁のチューブおよびこの梁のチューブに取り付けられたシートを支持させる被せ部材が取り付けられている。
【００１０】
この第２の発明によれば、間仕切りの立ち上げに際して、柱のチューブは、裏返されて短縮された上部構造部分を元に戻しながら鉛直上方向に伸張される。このため、間仕切りの立ち上げに際して、柱のチューブと、この柱のチューブにより持ち上げられる梁のチューブおよびシートとは、その各重心が水平方向に移動することが抑えられる。これにより、立ち上げに際しての安定性が向上されて、この立ち上げの作業の作業性が向上された間仕切りを提供することができる。
【００１１】
さらに、第３の発明は、上述した第１の発明において、柱のチューブの上部構造部分は、複数層に重ね合わされた状態にまとめられて、土台部分から上部構造部分が延びる方向に沿って配置される留め具により留められることで土台部分側に向かって短縮される構成とされたものである。ここで、留め具は、土台部分の空気供給口に圧縮空気が供給された場合に、土台部分側から膨張されていく柱のチューブの変形に応じて土台部分に近い側から順次外れていくことで、上部構造部分の膨張を土台部分に近い側から順次許容するものである。
【００１２】
この第３の発明によれば、短縮された状態の上部構造部分を伸張させるために必要となる柱のチューブ内における空気の圧力を、留め具の選択によって設定することが可能となる。これにより、上述した第１の発明にかかる間仕切りであって、かつ、容易に製造することができる間仕切りを提供することができる。
【図面の簡単な説明】
【００１３】
【図１】第１の実施形態にかかる間仕切りの使用状態を表した正面図である。
【図２】図１のＩＩ−ＩＩ線断面矢視図である。
【図３】図２と同様の断面矢視図であり、梁のチューブが持ち上げられる前の状態を表す。
【図４】図２と同様の断面矢視図であり、柱のチューブが梁のチューブを持ち上げている最中の状態を表す。
【図５】第２の実施形態にかかる間仕切りの使用状態を表した正面図である。
【図６】図５のＶＩ−ＶＩ線断面矢視図である。
【図７】第２の実施形態にかかる間仕切りを表した平面図であり、梁のチューブが持ち上げられる前の状態を表す。
【図８】図７のＶＩＩＩ−ＶＩＩＩ線断面矢視図である。
【図９】第２の実施形態にかかる間仕切りを表した平面図であり、持ち上げられる前の梁のチューブを曲げた状態を表す。
【図１０】第２の実施形態にかかる間仕切りの収納状態を説明するための平面図である。
【図１１】図１０と同様の状態を表した正面図である。
【図１２】第３の実施形態にかかる間仕切りの使用状態を表した正面図である。
【図１３】図１２のＸＩＩＩ−ＸＩＩＩ線断面矢視図である。
【図１４】図１３と同様の断面矢視図であり、梁のチューブが持ち上げられる前の状態を表す。
【図１５】第３の実施形態にかかる間仕切りを巻いてまとめた状態を表した正面図である。
【図１６】図１５のＸＶＩ−ＸＶＩ線断面図である。
【発明を実施するための形態】
【００１４】
以下に、本発明を実施するための形態について、図面を用いて説明する。なお、以下においては、チューブ内における空気の圧力が高くなりすぎないようにこのチューブに取り付けられるリリーフ弁などの付随的な構成について、その図示および詳細な説明を省略する。
【００１５】
〈第１の実施形態〉
始めに、第１の実施形態にかかる間仕切り１０の構成について、図１ないし図４を用いて説明する。この間仕切り１０は、図１に示すように、ほこりが出入りされない遮蔽空間を建屋９０内に設けるために、持ち上げられた１枚のシート１０Ａにより建屋９０内の空間を仕切るように立ち上げられる間仕切りである。この間仕切りは、例えば、建屋９０において一方側の壁９０Ｃから他方側の壁９０Ｄにまで側方（図１で見て左右方向）に延びるように設置されて、床９０Ｂから天井９０Ａに当たるまで上方（図１で見て上方）に延ばされた状態に立ち上げられる。
【００１６】
間仕切り１０は、それぞれが圧縮空気９２の供給によって柱形状に膨張される別個のチューブからなる１本の梁１１および２本の柱１２を備えて、これらの梁１１および柱１２の間にシート１０Ａを架け渡した構成となっている。ここで、梁１１および柱１２は、それぞれが別個のエアーコンプレッサー９１から圧縮空気９２の供給を受けることによって、互いに独立して膨張できるようになっている。なお、図１ないし図４においては、梁１１および柱１２の各チューブを四角柱形状に膨張されるものとして描いているが、これらのチューブは円柱形状などの任意の柱形状に膨張されるチューブに置き換えることができる。
【００１７】
そして、間仕切り１０は、シート１０Ａが取り付けられた梁１１のチューブを先に膨張させ、その後に柱１２のチューブを膨張させて梁１１およびシート１０Ａを持ち上げさせることで、床９０Ｂから立ち上げられるようになっている。これにより、床９０Ｂの上への間仕切り１０の設置を床９０Ｂの付近の作業のみで実現させて、間仕切り１０を短時間で容易に設置することが可能となる。ここで、図１の仮想線には、梁１１のチューブが伸ばされた後で柱１２のチューブを膨張させる前の状態が描かれている。
【００１８】
なお、本実施形態の間仕切り１０においては、エアーコンプレッサー９１から柱１２のチューブへの圧縮空気９２の供給は、金属製のエアー供給パイプ９１Ｂ（図２参照）を介して行われる。また、エアーコンプレッサー９１から梁１１のチューブへの圧縮空気９２の供給は、梁１１のチューブの上下動に追従することができるエアー供給ホース９１Ａ（図１参照）を介して行われる。また、各エアーコンプレッサー９１は、間仕切り１０の立ち上げが終わった後も圧縮空気９２を梁１１および柱１２の各チューブに供給し続けることで、この各チューブが空気漏れによりしぼんで間仕切り１０が倒れることを抑えるようになっている。
【００１９】
梁１１のチューブには、図１に示すように、１枚のシート１０Ａと１本のゴムスポンジ１１Ａと２本の被せ部材１１Ｂとが一体に取り付けられている。ここで、ゴムスポンジ１１Ａは、立ち上げられた状態の間仕切り１０において梁１１のチューブの真上に位置されるように配置されて、間仕切り１０の天井９０Ａに対する当たりを柔らかくするクッションとして機能されるものである。また、各被せ部材１１Ｂは、それぞれ柱１２のチューブに被せられて取り付けられることにより、このチューブに梁１１のチューブおよびこの梁１１のチューブに取り付けられた各部材を支持させるものである。
【００２０】
なお、各被せ部材１１Ｂには、柱１２のチューブの膨張あるいはこのチューブからの空気漏れによりこのチューブと被せ部材１１Ｂとの間における空気の圧力が上昇されてこの被せ部材１１Ｂが浮き上がることを防ぐ空気抜き孔１１Ｃが開けられている。また、本実施形態の間仕切り１０においては、シート１０Ａの各側縁部（図１で見て左右両側の縁部）は、それぞれ被せ部材１１Ｂと一体に結合されている。
【００２１】
柱１２のチューブは、図２に示すように、このチューブにおける床９０Ｂ側の端（図２で見て下側の端）を含む部分である土台部分１２Ａと、この土台部分１２Ａから伸びだされる部分である上部構造部分１２Ｃと、を有するものである。ここで、土台部分１２Ａは、その全体がパイプ１３に入れられてその内壁面に貼り付けられることで、床９０Ｂにパイプ１３を介して固定されるようになっている。また、土台部分１２Ａは、パイプ１３の壁を貫通して空気供給口１２Ｂが形成されることで、この空気供給口１２Ｂを介して柱１２のチューブへの圧縮空気９２の供給を受けることができるようになっている。なお、空気供給口１２Ｂは、例えば金属パイプによって形成されるものである。
【００２２】
パイプ１３は、金属により開口端１３Ａおよび底部１３Ｂを有する直管形状に形成されることで、柱１２のチューブの膨張を開口端１３Ａ側のみに制限するように構成されている。ここで、パイプ１３は、その開口端１３Ａが鉛直上方向（図２で見て上方向）を向いた状態で床９０Ｂに貼り付けられて固定され、土台部分１２Ａがパイプ１３の内壁面に貼り付けられることで、上部構造部分１２Ｃが伸びだされる方向を鉛直上方向にするようになっている。
【００２３】
上部構造部分１２Ｃは、図２ないし図４に示すように、梁１１のチューブおよびシート１０Ａ（図２参照）とは別体に形成されて、伸びだされた状態において上側となる端（図２で見て上側の端）から柱１２のチューブの内部にひも１２Ｄをたらした構成とされている。このひも１２Ｄの端部は、土台部分１２Ａの空気供給口１２Ｂから柱１２のチューブの外部に引き出されて、このチューブの中に引き戻されることがないように抜け止め１２Ｅが施された構成とされている。
【００２４】
また、上部構造部分１２Ｃは、この上部構造部分１２Ｃが伸びだされた状態（図２参照）から、手または棒などの道具によって裏返されながらパイプ１３の中に押し込まれることで、土台部分１２Ａ側に向かって短縮された状態とされるようになっている。ここで、上部構造部分１２Ｃは、この上部構造部分１２Ｃが伸びだされた状態（図２参照）において外部からひも１２Ｄを引くと、このひも１２Ｄが取り付けられた端がパイプ１３側に向かって凹むように裏返されるようになっている（図示省略）。この構成によれば、上部構造部分１２Ｃを裏返して図３に示す状態に短縮させることが容易となる。この場合において、上部構造部分１２Ｃにこの上部構造部分１２Ｃが裏返される向きの曲がり癖がつけられていると、上部構造部分１２Ｃを裏返して図３に示す状態に短縮させることがさらに容易となる。
【００２５】
また、短縮された状態（図３参照）の上部構造部分１２Ｃは、図４に示すように、空気供給口１２Ｂから圧縮空気９２が供給されると、柱１２のチューブ内における空気の圧力の増加に応じて徐々に伸張されて伸びだされた状態（図２参照）に戻るようになっている。この際、被せ部材１１Ｂを介して柱１２のチューブに支持された梁１１のチューブおよびこの梁１１のチューブに取り付けられた各部材は、柱１２のチューブにより上方に持ち上げられる。なお、被せ部材１１Ｂは、その下側（図２で見て下側）の端が前もってパイプ１３の外壁面（本実施形態ではパイプ１３の底部１３Ｂの外周となる外壁面である接着縁部１３Ｃ）に貼り付けられることで、柱１２のチューブの膨張に伴って徐々に引きのばされる。
【００２６】
上述した各構成によれば、間仕切り１０の立ち上げに際して、柱１２のチューブは、裏返されて短縮された上部構造部分１２Ｃ（図３参照）を元に戻しながら鉛直上方向に伸張される。このため、間仕切り１０の立ち上げに際して、柱１２のチューブと、この柱１２のチューブにより持ち上げられる梁１１のチューブおよびシート１０Ａとは、その各重心が水平方向（図４で見て左右方向）に移動することが抑えられる。これにより、立ち上げに際しての安定性が向上されて、この立ち上げの作業の作業性が向上された間仕切り１０を提供することができる。
【００２７】
ところで、裏返されて短縮された状態（図３参照）の上部構造部分１２Ｃを元に戻しながら伸張させるためには、柱１２のチューブ内における空気の圧力が所定の圧力（以下、「圧力ａ」とも称する。）を超えて大きくなることが必要である。この圧力ａは、柱１２のチューブを形成する素材（例えばポリプロピレンのフィルム）が有するコシの強さによって決まるものである。また、本実施形態の間仕切り１０においては、圧力ａは、柱１２のチューブが梁１１のチューブおよびシート１０Ａを倒れないように支持するために必要となる柱１２のチューブ内における空気の圧力（以下、「圧力ｂ」とも称する。）よりも大きくされている。
【００２８】
上記構成によれば、土台部分１２Ａが床９０Ｂに固定されて上部構造部分１２Ｃが短縮された柱１２のチューブは、圧縮空気９２が供給されると、そのチューブ内における空気の圧力が圧力ｂに高められる。このとき、柱１２のチューブは、梁１１のチューブおよびシート１０Ａを倒れないように支持できる状態に膨張される。この状態において柱１２のチューブにさらに圧縮空気９２が供給されると、柱１２のチューブは、梁１１のチューブおよびシート１０Ａを倒れないように支持できる状態を維持しながら、上部構造部分１２Ｃを徐々に伸張させるように膨張させる（図４参照）。このため、柱１２のチューブを膨張させて間仕切り１０を立ち上げている間において、持ち上げられる梁１１のチューブおよびシート１０Ａは、柱１２のチューブにより倒れないように支持される。これにより、立ち上げに際してのすわりが向上されて支えが不要となり、この立ち上げの作業の作業性が向上された間仕切り１０を提供することができる。
【００２９】
なお、本実施形態においては、図２ないし図４に示すように、エアーコンプレッサー９１と空気供給口１２Ｂとを繋ぐエアー供給パイプ９１Ｂには、このエアー供給パイプ９１Ｂの内壁面を下側（図２で見て下側）に凹ませた収納部９１Ｃが形成されている。この収納部９１Ｃは、空気供給口１２Ｂから引き出されたひも１２Ｄと抜け止め１２Ｅとを、エアー供給パイプ９１Ｂの内部に収納する（図３参照）ためのものである。この構成によれば、圧縮空気９２の供給を、エアー供給パイプ９１Ｂ内にひも１２Ｄと抜け止め１２Ｅとが入れられた状態で行うことで、このひも１２Ｄおよび抜け止め１２Ｅが圧縮空気９２の漏れの原因となることを回避することができる。
【００３０】
〈第２の実施形態〉
続いて、第２の実施形態にかかる間仕切り２０の構成について、図５ないし図１１を用いて説明する。第２の実施形態にかかる間仕切り２０は、第１の実施形態にかかる間仕切り１０を変形した実施形態である。したがって、上記第１の実施形態にかかる間仕切り１０の各構成と共通する構成については、第１の実施形態にかかる間仕切り１０の各構成に付した符号から、その十の位の数字を「２」に置き換えた符号を付して対応させ、その詳細な説明を省略する。
【００３１】
第２の実施形態の間仕切り２０は、図５に示すように、第１の実施形態の間仕切り１０において１枚とされたシート１０Ａの代わりに、２本の切り込み２０Ｂによって３枚に分割されたシート２０Ａを備えたものである。ここで、各切り込み２０Ｂは、持ち上げられた状態のシート２０Ａにおいて床９０Ｂ側の端から梁２１側の端にまで延びるように配置されて、各切り込み２０Ｂに挟まれたシート２０Ａを容易にめくりあげられるようにするものである。この構成によれば、シート２０Ａをめくりあげて間仕切り２０に一時的な出入り口を形成し、人や物資（図示省略）の往来を容易にすることができる。
【００３２】
間仕切り２０において、柱２２のチューブは、例えばポリプロピレン製のサイドシール袋とされて、その両側に帯状に設けられるサイドシール部分２２Ｄに沿って長尺に延びるように形成されている。ここで、各柱２２のチューブにおける一方側のサイドシール部分２２Ｄは、シート２０Ａあるいは梁２１のチューブに隣接されるように配置されて、このチューブあるいはシート２０Ａに対して一体に接合される。また、柱２２の上部構造部分２２Ｃは、図８に示すように、その全体を経本折りとして複数層に重ね合わされた状態にまとめ、複数本のタグピン２２Ｅにより複数箇所を別個に留めることで、土台部分２２Ａ側に向かって短縮させることができるようになっている。ここで、タグピン２２Ｅは、本発明における「留め具」に相当する。
【００３３】
なお、本実施形態の間仕切り２０においては、個々のタグピン２２Ｅは、サイドシール部分２２Ｄにおいて上記経本折りの折り目に対応する部分に開けられた留め孔２２Ｆのうちの２つに通されることで、柱２２の上部構造部分２２Ｃを留める。このため、タグピン２２Ｅは、柱２２のチューブにおいて土台部分２２Ａから上部構造部分２２Ｃが延びる方向に沿って並ぶように配置されることになる。
【００３４】
また、タグピン２２Ｅは、図８に示すように、土台部分２２Ａの空気供給口２２Ｂに圧縮空気９２が供給された場合に、土台部分２２Ａ側から膨張されていく柱２２のチューブの変形に応じて土台部分２２Ａに近い側から順次外れていくようになっている。このため、タグピン２２Ｅは、空気供給口２２Ｂへの圧縮空気９２の供給に対して、上部構造部分２２Ｃの膨張を土台部分２２Ａに近い側から順次許容する。そして、柱２２のチューブは、このチューブ内における空気の圧力が梁２１のチューブおよびシート２０Ａを倒れないように支持できる圧力に保たれたまま徐々に伸張されて上方に伸びだされる。なお、タグピン２２Ｅは、図８の仮想線においては、その一方側の端部が変形して留め孔２２Ｆから抜けることで外れているが、例えばタグピン２２Ｅの中央部分が引きちぎられることで外れるものであってもよい。
【００３５】
上述した各構成によれば、短縮された状態の上部構造部分２２Ｃを伸張させるために必要となる柱２２のチューブ内における空気の圧力を、タグピン２２Ｅを含む留め具の種類の選択によって設定することが可能となる。これにより、間仕切り２０の設計および製造をより容易にすることができる。
【００３６】
また、上部構造部分２２Ｃを短縮させる際に、複数の留め具により複数箇所を別個に留める構成によれば、留め具の種類を場所ごとに変えることによって、柱２２のチューブ内における空気の圧力をこのチューブの膨張の度合いに応じて変化させることが可能となる。これは、以下のような作用効果を実現させることができるものである。
【００３７】
すなわち、例えば柱２２のチューブが梁２１のチューブおよびシート２０Ａを持ち上げ始めた状態（図８の仮想線を参照）においては、梁２１のチューブおよびシート２０Ａの各重心が水平方向（図８で見て左右方向）にぶれる度合いが比較的大きくなる。このとき、土台部分２２Ａに近い側の留め具を比較的外れにくいものとしておくと、伸張され始めた柱２２のチューブ内における空気の圧力を比較的大きくして、このチューブの支持力を上記重心のぶれに対応できるように高めることが可能となる。
【００３８】
また、例えば間仕切り２０の設置場所に風が吹いている場合には、梁２１のチューブおよびシート２０Ａを持ち上げていくにつれてこの梁２１のチューブおよびシート２０Ａが風をより強く受けるようになって間仕切り２０が倒れやすくなる。このとき、土台部分２２Ａから遠い側の留め具を比較的外れにくいものとしておくと、伸張が進んだ状態の柱２２のチューブ内における空気の圧力を比較的大きくして、このチューブの支持力を風に対抗できるように高めることが可能となる。
【００３９】
なお、本実施形態の間仕切り２０は、図１に示す第１の実施形態の間仕切り１０とは異なり、空気供給口２２Ｂから引き出されるひもを有さないものである。このため、柱２２のチューブを膨張させて間仕切り２０を立ち上げる際には、図５ないし図８に示すように、エアー供給パイプ９１Ｂ（図１参照）の代わりにエアー供給ホース９１Ａを用いて圧縮空気９２の供給を行うことができる。
【００４０】
また、間仕切り２０における２本の柱２２は、図６に示すように、それぞれ、その土台部分２２Ａの底面が固定部材２３に貼り付けられる。そして、それぞれに柱２２が貼り付けられた２つの固定部材２３は、図５に示すように、それぞれが重量物により押さえられることで、各柱２２を床９０Ｂに対して固定するようになっている。ここで、図５ないし図８には、固定部材２３を押さえる重量物としてエアーコンプレッサー９１を使用した状態が描かれている。
【００４１】
固定部材２３は、図１０および図１１に示すように、２つを組み合わせることによって長尺の直方体形状に形成された観音開きの箱としてまとめることができるように構成されている。言いかえると、固定部材２３は、上記観音開きの箱に切り込みを入れて２つに分割したものによって、その各構成を形成することができるものである。
【００４２】
また、各固定部材２３は、図６および図７に示すように、柱２２の土台部分２２Ａが貼り付けられて床９０Ｂの上に置かれる柱固定部２３Ｃと、この柱固定部２３Ｃと繋がった状態で重量物により押さえられる展開部２３Ｄと、を備えている。この展開部２３Ｄは、上記観音開きの箱において、その側壁のうち膨張された梁２１のチューブと干渉するおそれがある部分を、床９０Ｂに沿うように倒した構成とされている。また、柱固定部２３Ｃは、梁２１および柱２２の各チューブが延びる方向に開放されて、その内部において柱２２の土台部分２２Ａが膨張することを許容するようになっている。
【００４３】
また、柱固定部２３Ｃには、横断面が「コ」字状となるチャンネル形状に形成された回転部２３Ａがピボット２３Ｂを介して回転可能に取り付けられている。ここで、回転部２３Ａは、図５ないし図７に示すように、その端面が上下方向（図５で見て上下方向）を向いた状態に回転されることで、膨張された梁２１のチューブとの干渉を回避することができるようになっている。また、回転部２３Ａは、上方に伸びだされる柱２２のチューブに沿った状態に回転されることでこのチューブの伸びだしをガイドすることもできるようになっている。なお、回転部２３Ａの柱固定部２３Ｃに対する回転は、金属パイプとして形成された空気供給口２２Ｂを、回転部２３Ａおよび柱固定部２３Ｃに抜き差し可能に貫通させることによってロックすることができるものである。
【００４４】
ところで、間仕切り２０において、梁２１のチューブには、このチューブの側面（図６で見て左右両側の面）に沿って延びるように配置された２本のベサールテープ２１Ｂ、２１Ｃが貼り付けられている。ここで、「ベサールテープ」とは、テープ同士は互いを押し当てるだけで剥離可能に貼り付くが、他の物品に対しては接着剤を使用しないと貼り付かないテープである。なお、ベサールテープ２１Ｂ、２１Ｃは、図５および図６に示すように、間仕切り２０が立ち上げられた状態において、それぞれが水平に延び、かつ、それぞれの床９０Ｂからの高さが同じとなるように配置される。
【００４５】
上記構成によれば、梁２１においてベサールテープ２１Ｂあるいはベサールテープ２１Ｃが配置された部分を折り曲げて、そのベサールテープ２１Ｂ同士あるいはベサールテープ２１Ｃ同士を貼り合わせることで、梁２１の曲がりを固定することができる。これは、以下のような作用効果を実現させることができるものである。
【００４６】
例えば、図９に示すように、柱２２のチューブを膨張させてシート２０Ａおよび梁２１を持ち上げる前にこの梁２１を適宜に曲げてこの曲がりを固定することで、その後に立ち上げられる間仕切り２０の形状を適宜に変えることができる。この場合において、梁２１を曲げるときにこの梁２１のチューブ内における空気の圧力をこのチューブの満充填時における空気の圧力よりも小さくしておくと、梁２１の剛性を弱くしてこの梁２１を容易に曲げることができる。
【００４７】
また、図１０に示すように、梁２１のチューブから空気が抜かれた状態でこのチューブを経本折りにして、そのベサールテープ２１Ｂ同士およびベサールテープ２１Ｃ同士をそれぞれ貼り合わせることで、梁２１のチューブを短縮された状態にまとめることができる。この場合において、各固定部材２３を短縮された状態の梁２１のチューブおよびシート２０Ａを収納可能な大きさの観音開きの箱としてまとめられるように形成すると、図１０および図１１に示すように、間仕切り２０の全体を箱状にまとめて収納することができる。
【００４８】
〈第３の実施形態〉
続いて、第３の実施形態にかかる間仕切り３０の構成について、図１２ないし図１６を用いて説明する。第３の実施形態にかかる間仕切り３０は、第２の実施形態にかかる間仕切り２０を変形した実施形態である。したがって、上記第２の実施形態にかかる間仕切り２０の各構成と共通する構成については、第１の実施形態にかかる間仕切り１０の各構成に付した符号から、その十の位の数字を「３」に置き換えた符号を付して対応させ、その詳細な説明を省略する。
【００４９】
第３の実施形態の間仕切り３０は、図１２に示すように、人（図示省略）の視線を遮る目隠しを建屋９０内に設けるために、持ち上げられた１枚のシート３０Ａにより建屋９０内の空間を仕切るように立ち上げられる間仕切りである。この間仕切り３０は、例えば、建屋９０において両側方（図１２で見て左右方向）に人や物資（図示省略）が往来できるスペースを残すように設置される。このため、間仕切り３０は、第２の実施形態の間仕切り２０（図５参照）とは異なり、そのシート３０Ａに人や物資（図示省略）の往来を容易にするための切り込みが入っていない。
【００５０】
また、間仕切り３０は、床９０Ｂから上方（図１２で見て上方）に向かって、天井９０Ａに当たらない高さにまで延ばされた状態に立ち上げられる。このため、間仕切り３０は、第２の実施形態の間仕切り２０（図５参照）とは異なり、天井９０Ａに対する当たりを柔らかくするクッションとして機能されるゴムスポンジを備えていない。また、間仕切り３０は、その梁３１を曲げた状態で使用することを想定したものではないので、第２の実施形態の間仕切り２０（図６参照）とは異なり、梁３１の曲がりを固定するためのベサールテープを備えていない。
【００５１】
間仕切り３０において、柱３２のチューブは、図１２ないし図１４に示すように、圧縮空気９２の供給（図１２参照）により円柱形状に膨張されるように形成されて、その土台部分３２Ａが吸着シート３３を介して床９０Ｂに貼り付けられるようになっている。また、梁３１のチューブは、圧縮空気９２の供給（図１２参照）により円柱形状に膨張されるように形成されて、シート３０Ａおよび空気が抜かれた状態の柱３２のチューブを巻き取ってまとめる芯とする（図１４参照）ことができるようになっている。
【００５２】
各柱３２のチューブにおいては、図１２ないし図１４に示すように、このチューブが梁３１のチューブに巻き取られたとき（図１４参照）に複数層に重ね合わされる部分に、ベサールテープ３２Ｄが１本ずつ貼り付けられている。このベサールテープ３２Ｄは、図１４に示すように、柱３２のチューブが梁３１のチューブに巻き取られたときに貼り合わされることで、巻き取られた柱３２のチューブおよびシート３０Ａが巻き解かれることを抑えるようになっている。また、各ベサールテープ３２Ｄは、図１２および図１３に示すように、柱３２のチューブにおいて土台部分３２Ａから上部構造部分３２Ｃが延びる方向（図１２で見て上下方向）に沿って配置される。
【００５３】
また、貼り合わされたベサールテープ３２Ｄは、図１４に示すように、圧縮空気９２の供給（図１２参照）により土台部分３２Ａ側から膨張されていく柱３２のチューブの変形に応じて土台部分３２Ａに近い側から順次剥離されるようになっている。このため、ベサールテープ３２Ｄは、空気供給口３２Ｂ（図１２参照）への圧縮空気９２の供給に対して、上部構造部分３２Ｃの膨張を土台部分３２Ａに近い側から順次許容する。そして、柱３２のチューブは、このチューブ内における空気の圧力が梁３１のチューブおよびシート３０Ａを倒れないように支持できる圧力に保たれたまま徐々に伸張されて上方に伸びだされる。
【００５４】
なお、柱３２のチューブの伸びだしに際しては、図１４に示すように、梁３１のチューブは回転されながら持ち上げられる。このため、梁３１のチューブに圧縮空気９２を供給するエアー供給ホース９１Ａは、図１２に示すように、空気供給口３２Ｂへの圧縮空気９２の供給を始める前に外しておくことが好ましい。
【００５５】
上述した各構成によれば、短縮された状態の上部構造部分３２Ｃを伸張させるために必要となる柱３２のチューブ内における空気の圧力を、ベサールテープ３２Ｄによって設定することが可能となる。すなわち、ベサールテープ３２Ｄは本発明における「留め具」として機能される。このため、間仕切り３０は、第２の実施形態の間仕切り２０（図８参照）とは異なり、柱３２の上部構造部分３２Ｃを折り畳まれた状態に留めるためのタグピンを備えていない。
【００５６】
また、シート３０Ａおよび柱３２のチューブを巻き取る芯として梁３１のチューブを用いる構成によれば、巻き取りを終えた後に梁３１のチューブから空気を抜くことによって、間仕切り３０の全体を押し潰して帯状にまとめることが可能となる。そして、図１５および図１６に示すように、帯状にまとめられた間仕切り３０をその長手方向に巻くことで、この間仕切り３０をさらにコンパクトにまとめることができる。
【００５７】
なお、帯状にまとめられた間仕切り３０は、圧縮空気９２を梁３１のチューブに供給してこのチューブを膨張させることで、図１２の仮想線あるいは図１４に示す状態とすることができる。なお、柱３２のチューブおよびシート３０Ａを巻き取る際に緩みを持たせた場合には、図１２に仮想線で示すように、シート３０Ａにくるまれた梁３１のチューブにエアー供給ホース９１Ａを接続させることが容易となる。
【００５８】
本発明は、上述した第１および第２の実施形態で説明した外観、構成に限定されず、本発明の要旨を変更しない範囲で種々の変更、追加、削除が可能である。例えば、以下のような各種の形態を実施することができる。
【００５９】
（１）第１の実施形態において、裏返されて短縮された状態の上部構造部分を元に戻しながら伸張させるために必要な空気の圧力ａは、柱のチューブを形成する素材が有するコシの強さのみによって決定されるものである必要はない。すなわち、例えば柱のチューブの表面に針金等の補強材を貼り付けてその上部構造部分の変形のしやすさを調節することで、上記圧力ａの決定を行うことができる。
【００６０】
（２）第２または第３の実施形態において、タグピンあるいはベサールテープは、パイルアンドフック型の面ファスナーおよびスナップボタンを含む任意の種類の留め具に適宜置き換えることができる。この場合において、留め具を配置する位置およびこの留め具により留められるチューブの具体的な形状は、留め具の種類に応じて適宜変更することができる。
【００６１】
（３）第３の実施形態において、帯状にまとめられた間仕切りは、その長手方向に折り畳むことでさらにコンパクトにまとめるようにしてもよい。
【符号の説明】
【００６２】
１０    間仕切り
１０Ａ  シート
１１    梁
１１Ａ  ゴムスポンジ
１１Ｂ  被せ部材
１１Ｃ  空気抜き孔
１２    柱
１２Ａ  土台部分
１２Ｂ  空気供給口
１２Ｃ  上部構造部分
１２Ｄ  ひも
１２Ｅ  抜け止め
１３    パイプ
１３Ａ  開口端
１３Ｂ  底部
１３Ｃ  接着縁部
２０    間仕切り
２０Ａ  シート
２０Ｂ  切り込み
２１    梁
２１Ａ  ゴムスポンジ
２１Ｂ  ベサールテープ
２１Ｃ  ベサールテープ
２２    柱
２２Ａ  土台部分
２２Ｂ  空気供給口
２２Ｃ  上部構造部分
２２Ｄ  サイドシール部分
２２Ｅ  タグピン（留め具）
２２Ｆ  留め孔
２３    固定部材
２３Ａ  回転部
２３Ｂ  ピボット
２３Ｃ  柱固定部
２３Ｄ  展開部
３０    間仕切り
３０Ａ  シート
３１    梁
３２    柱
３２Ａ  土台部分
３２Ｂ  空気供給口
３２Ｃ  上部構造部分
３２Ｄ  ベサールテープ（留め具）
３３    吸着シート
９０    建屋
９０Ａ  天井
９０Ｂ  床
９０Ｃ  壁
９０Ｄ  壁
９１    エアーコンプレッサー
９１Ａ  エアー供給ホース
９１Ｂ  エアー供給パイプ
９１Ｃ  収納部
９２    圧縮空気
【図１】
2016014289.tif 000003
【図２】
2016014289.tif 000004
【図３】
2016014289.tif 000005
【図４】
2016014289.tif 000006
【図５】
2016014289.tif 000007
【図６】
2016014289.tif 000008
【図７】
2016014289.tif 000009
【図８】
2016014289.tif 000010
【図９】
2016014289.tif 000011
【図１０】
2016014289.tif 000012
【図１１】
2016014289.tif 000013
【図１２】
2016014289.tif 000014
【図１３】
2016014289.tif 000015
【図１４】
2016014289.tif 000016
【図１５】
2016014289.tif 000017
【図１６】
2016014289.tif 000018